(57)【要約】      （修正有）【課題】適正な位置へ免震パッドを簡単に設置できるようにすること、また、免震パッドを適正な位置へ設置することで、免震パッドによる十分な免震機能を発揮できる構成を提供する。【解決手段】墓石１の免震施工法は、上台１３と竿石１４との間に設置される免震パッド１６と、この免震パッドが載置される基台と、基台の端部から立設された規制部２２と、規制部から所定の間隔をあけて基台に設けられた載置部と、を備えた設置器具２０と、を用い、設置器具の規制部を竿石１４の側面１４ｃにあてて、免震パッド１６を竿石の下面１４ｂに貼り付け、この竿石を、下側に位置する上台の上面１３ａに積み重ねる免震施工法である。【選択図】図４
2014040725.tif 000002
【特許請求の範囲】
【請求項１】
石材と石材との間に設置される免震パッドを設置するための設置器具であって、
前記免震パッドが載置される基台と、
前記基台の端部から立設された規制部と、
前記規制部から所定の間隔をあけて前記基台に設けられた免震パッド載置部と、
を備えることを特徴とする設置器具。
【請求項２】
前記基台は、矩形状であり、
前記規制部は、前記基台における隣接する２辺に設けられていることを特徴とする請求項１に記載の設置器具。
【請求項３】
前記免震パッド載置部は、前記基台の表面を窪ませて形成されたものであることを特徴とする請求項１または２に記載の設置器具。
【請求項４】
前記免震パッド載置部の窪みにおいて、前記免震パッドが置かれる底部に開口部が形成されていることを特徴とする請求項３に記載の設置器具。
【請求項５】
請求項１から４に記載の設置器具に用いられる免震パッドであって、
前記免震パッドは、一方の面に接着層が形成されていることを特徴とする免震パッド。
【請求項６】
前記免震パッドは、シリコンゴムからなることを特徴とする請求項５に記載の免震パッド。
【請求項７】
石材を積み重ねた墓石の免震施工法であって、
前記石材間に設置される免震パッドと、
前記免震パッドが載置される基台と、前記基台の端部から立設された規制部と、前記規制部から所定の間隔をあけて前記基台に設けられた免震パッド載置部と、を備えた設置器具と、
を用い、
前記設置器具の前記規制部を上側に位置する石材の側面にあてて、前記免震パッド載置部に載置された前記免震パッドを、前記上側に位置する石材の下面に貼り付け、
前記上側に位置する石材を、下側に位置する石材の上面に積み重ねることを特徴とする墓石の免震施工法。
【請求項８】
請求項７に記載の免震施工法によって施工されたことを特徴とする墓石。
【発明の詳細な説明】
【技術分野】
【０００１】
本発明は、墓石に対する地震対策として石材間に設置される、免震パッド、そして、この免震パッドを設置するための器具、免震パッドを設置するための器具を使用した墓石の免震施工法、また、この免震施工法により施工された墓石に関するものである。
【背景技術】
【０００２】
日本では古くからの慣行として、お墓参りが、主に、お盆、お彼岸や命日などに行われている。したがって、墓石は、特別なものであり、また、普段から大切に扱われていることも多い。そのため、墓石には、地震による墓石の倒壊を防ぐ様々な対策が施されている。
【０００３】
墓石のような重量物の転倒防止対策として、例えば特許文献１のように、墓石を構成する石材に孔を設け、そこにステンレス棒等を配置して、石材同士を強く固定する方法が知られている。このような石材同士を強く固定するような方法は、所謂耐震施工法と呼ばれるものである。
【０００４】
この耐震施工法は、石材同士を強く固定する力と、地震の力との力勝負であるため、地震の力が上回れば、墓石は倒壊してしまう。したがって、より強く固定しようとうすると、石材に設ける孔の数や、ステンレス棒の太さ、等が増すため、施工のための費用も増えてしまうことになる。また、墓石に対して加工が必要になるので、施工が複雑化してしまう。そして、このような耐震の構造を、既にある墓石に施工することは非常に困難である。
【０００５】
したがって、より安く、より簡単な墓石の転倒防止対策として、特許文献２に記載されているような、弾性材料からなる弾性体シートを用いた所謂免震施工法と呼ばれるものが知られている。この免震施工法は、石材と石材との間に弾性体シートを設置しておくというものである。
【先行技術文献】
【特許文献】
【０００６】
【特許文献１】特開平９−２０９６１０号公報
【特許文献２】特許４２３８２７７号公報
【発明の概要】
【発明が解決しようとする課題】
【０００７】
例えば、上記特許文献２のように、石材間に４箇所、弾性体シートを設置する場合、弾性体シートを適当に４箇所設置しただけでは、逆に重量バランスが悪くなってしまう等、転倒防止の機能を十分果たすことができない。したがって、このような弾性体シートからなる免震パッドは、設置マニュアル等で定められている適正な位置へ設置する必要があるが、免震パッドを適正な位置へ設置することは難しい。
【０００８】
具体的には、例えば、上側に位置する石材の下面に、先に免震パッドを貼り付けようとする場合、石材は非常に重いため、作業現場でこの上側の石材の上下をひっくり返して、免震パッドの貼り付け作業をすることは難しい。しかしながら、上側の石材を吊り下げた状態で免震パッドの貼り付け作業を行うことも、適正な位置へ設置することが難しい。
【０００９】
また、例えば下側に位置する石材の上面に免震パッドを載置しておくことも考えられる。しかしながら、上側の石材の下面は、下側の石材の上面に比べると狭いため、上側の石材の大きさ、位置を考量して、下側の石材の上面に免震パッドを正確に設置しておくには、正確な位置合わせが要求されるので難しい。
【００１０】
また、下側の石材の上に、上側の石材を積むような場合、作業現場では通常上側の石材をあまり上まで吊り上げることはしないので、作業時、下側の石材と上側の石材との間は僅かしかない。したがって、このような僅かな作業空間で、免震パッドを適正な位置へ設置することは非常に困難である。
【００１１】
そこで、本発明は、適正な位置へ免震パッドを簡単に設置できるようにすること、また、免震パッドを適正な位置へ設置することで、免震パッドによる十分な免震機能を発揮できるようにすることを目的とする。
【課題を解決するための手段】
【００１２】
上記課題を解決するために、本発明の第１の態様は、石材と石材との間に設置される免震パッドを設置するための設置器具であって、前記免震パッドが載置される基台と、前記基台の端部から立設された規制部と、前記規制部から所定の間隔をあけて前記基台に設けられた免震パッド載置部と、を備えることを特徴とする。
【００１３】
本発明の第１の態様によれば、石材の端から所定の間隔をあけて設置する必要のある免震パッドを、規制部から所定の間隔をあけて設けられた免震パッド載置部に免震パッドを置き、石材の側面にこの規制部をあてて免震パッドを石材に設置することで、作業者は、非常に簡単に石材の端から所定の間隔をあけて免震パッドを設置することができる。
【００１４】
また、本発明の第２の態様は、第１の態様に係る設置器具であって、前記基台は、矩形状であり、前記規制部は、前記基台における隣接する２辺に設けられていることを特徴とする。
【００１５】
本発明の第２の態様によれば、作業者は、石材の４隅にそれぞれ等しく、免震パッドを簡単に設置することができる。
【００１６】
また、本発明の第３の態様は、第１または２の態様に係る設置器具であって、前記免震パッド載置部は、前記基台の表面を窪ませて形成されたものであることを特徴とする。
【００１７】
本発明の第３の態様によれば、設置器具は、免震パッド載置部が基板の表面から窪んだ構成となっているので、作業者が、免震パッドを石材に設置する際に、石材と免震パッド載置部とが接触し、石材が破損する等のおそれがない。
【００１８】
また、本発明の第４の態様は、第３の態様に係る設置器具であって、前記免震パッド載置部の窪みにおいて、前記免震パッドが置かれる底部に開口部が形成されていることを特徴とする。
【００１９】
本発明の第４の態様によれば、作業者は、免震パッドを石材に載置する際に、開口部を介して石材側に免震パッドを押圧することができる。この時、免震パッドに接着層が備わっていると、作業者は、押圧することによって、石材に免震パッドをしっかり貼り付けることができる。
【００２０】
また、本発明の第５の態様は、第１から４の態様に係る設置器具に用いられる免震パッドであって、前記免震パッドは、一方の面に接着層が形成されていることを特徴とする。
【００２１】
本発明の第５の態様によれば、設置器具を用いて免震パッドを石材に設置する際に、接着層を有する面を上にして免震パッド載置部に置いてから、免震パッドを石材に設置することで、作業者は、免震パッドを石材に貼り付けることができる。また、他方の面には接着層がないので、石材を積み重ねた後でも、石材同士が接着状態とはならず、作業者は、上側の石材の位置を調整することができる。
【００２２】
また、本発明の第６の態様は、第５の態様に係る免震パッドであって、前記免震パッドは、シリコンゴムからなることを特徴とする。
【００２３】
本発明の第６の態様によれば、シリコンゴムは、耐熱性、耐寒性、耐水性に優れ、紫外線に対しても比較的劣化し難いため、墓石用として非常に適した免震パッドとなる。
【００２４】
また、本発明の第７の態様は、石材を積み重ねた墓石の免震施工法であって、前記石材間に設置される免震パッドと、前記免震パッドが載置される基台と、前記基台の端部から立設された規制部と、前記規制部から所定の間隔をあけて前記基台に設けられた免震パッド載置部と、を備えた設置器具と、を用い、前記設置器具の前記規制部を上側に位置する石材の側面にあてて、前記免震パッド載置部に載置された前記免震パッドを、前記上側に位置する石材の下面に貼り付け、前記上側に位置する石材を、下側に位置する石材の上面に積み重ねることを特徴とする。
【００２５】
本発明の第７の態様によれば、作業者は、この設置器具を用いて、上側に位置する石材の下面に対して、非常に簡単に石材の端から所定の間隔をあけて免震パッドを設置することができる。この時、上側の石材が吊り下げられていたとしても、また、上側の石材と下側の石材との間が僅かしかない状況でも、作業者は、上側の石材の下面に簡単に免震パッドを設置することができる。
【００２６】
また、本発明の第８の態様は、第７の態様に係る免震施工法によって施工された墓石であることを特徴とする。
【００２７】
本発明の第８の態様によれば、免震パッドが適正な位置に配置されているので、免震パッドによる十分な転倒防止機能を発揮することができる墓石を提供することができる。
【図面の簡単な説明】
【００２８】
【図１】本発明の実施形態における墓石の斜視図である。
【図２】本発明の実施形態における墓石を構成する上台の上面の平面図である。
【図３】（Ａ）は本実施形態における設置器具の斜視図であり、（Ｂ）は本実施形態における免震パッドの斜視図である。
【図４】本実施形態における免震施工法の作業工程図である。
【発明を実施するための形態】
【００２９】
以下、図面を参照して本発明の実施形態を説明する。但し、以下に説明する実施形態は、本発明の技術思想を具体化するための免震パッド、免震パッドを設置するための器具、免震パッドを設置するための器具を使用した墓石の免震施工法及びその免震施工法により施工された墓石を例示するものであって、本発明をこれらに特定することを意図するものではなく、特許請求の範囲に含まれるその他の実施形態のものにも等しく適応し得るものである。
【００３０】
［実施形態］
まず、図１を参照して、本発明の実施形態に係る墓石の全体構成を説明する。なお、図１は本実施形態に係る墓石の斜視図である。また、墓石は、宗派などの違いにより型式が異なり、例えば、「和式（仏式、和型）」、「洋式（洋型）」、「神式」、「五輪塔」や「地蔵墓」などがあるが、本実施形態では、一般的な「和式（仏式、和型）」の墓石を説明し、この技術は、他の「洋式」などにも適用できるものである。また、墓石を構成する部位などの名称も統一されておらず、地方などにもよっても異なるので、一般的な通称を用いることとする。
【００３１】
図１に示すように、墓石１は、所定大きさの芝台１１の上に、順に下台１２、上台１３、竿石１４を積み上げ、更に、芝台１１の上に花立て・水鉢セット１５を正面中央に置いて構成されたものとなっている。
【００３２】
芝台１１は、根石や地廻石とも呼ばれており、土台となるもので、御影石やコンクリートで作られている。また、この芝台１１は、花立て・水鉢セット１５の置き台ともなっている。なお、芝台１１は、一枚の板状のものでも構わないが、一般的には板状のものを４枚組み合わせて構成したものが多い。
【００３３】
下台１２は、芝台１１がない場合、一番下になる台石である。図示していないが、通常、下台１２の正面中央には、納骨の為の開口が設けられている。そして、この開口が、花立て・水鉢セット１５の壁面で覆われ、外部からは見えないようになっている。
【００３４】
上台１３は、竿石１４を立設する台石である。図示していないが、上台１３には、正面に蓮華模様や家紋・家名などが刻まれる場合もある。
【００３５】
竿石１４は、棹石、佛石、軸石などとも呼ばれ、表面には、「お題目」、「先祖代々之墓」や「○○家之墓」などの文字が刻まれている。
【００３６】
花立て・水鉢セット１５は、花立てがお花をお供えするものであり、水鉢がお水をお供えするものある。また、花立て・水鉢セット１５の正面には、「家紋」等が刻まれている場合もある。
【００３７】
つぎに、この墓石１に施されている地震による転倒防止対策について説明する。墓石１には、弾性材料からなる免震パッド１６が、下台１２と上台１３との間、また、上台１３と竿石１４との間に、それぞれ４箇所設置されている。つまり、墓石１は、免震パッド１６によって、上側の石材に対して地震の力が伝わり難くなる所謂免震構造となっている。
【００３８】
この墓石１の免震構造について、図２を用いて説明する。図２は、墓石１を上側からみた場合の上台１３の上面１３ａの平面図を示している。上台１３の上面１３ａには、免震パッド１６が４枚設置されている。また、上台１３の上面１３ａには、接着材１７が５箇所塗られている。
【００３９】
免震パッド１６は、弾性材料としてシリコンゴムを用いた、厚さ３ｍｍの矩形状のものを使用している。シリコンゴムは、ウレタンゴム等の他の弾性材料に比べ、耐熱性、耐寒性の温度範囲が広く、また耐水性にも優れ、紫外線に対しても比較的劣化し難いため、墓石に用いる免震パッドとして非常に適している。なお、免震パッド１６は、後述する免震施工法の際に説明するが、実際には、上台１３の上側に位置する竿石１４（図２では、破線で示す）の下面１４ｂに貼り付けられており、上台１３の上面１３ａとは非接着で載置されている。
【００４０】
そして、免震パッド１６は、何れも竿石１４の端部から所定の間隔Ｄだけ離れて設置されている。この所定の間隔Ｄは、具体的には竿石１４の端部１４ｅから３０ｍｍ内側となっている。このように、何れの免震パッド１６も、上側に位置する竿石１４の端部１４ｅから所定の間隔Ｄだけ離れて均等に設置されることで、墓石１は、免震パッド１６による免震効果を最大限に発揮することができる。
【００４１】
接着剤１７は、石材同士を接着するためのものであり、本実施形態においては、４箇所設置された免震パッド１６の中心位置に１つと、隣り合う免震パッド１６の間の位置に４箇所の計５箇所塗られている。なお、この接着剤１７は、点付するのが好ましく、また、中心の接着剤１７が大体３０ｍｍの球状に点付されており、他の４箇所の接着剤１７が大体２０ｍｍの球状に点付されている。
【００４２】
墓石１は、以上のような免震構造となっているが、上述のように、免震効果を最大限に発揮するためには、免震パッド１６の設置位置が非常に重要となる。そこで、免震パッド１６を適正な位置に簡単に設置できるよう、墓石１は、この免震構造を施工する作業において、設置器具２０を用いて免震パッド１６が設置されている。次に、この設置器具２０及びこの設置器具２０に最適な免震パッド１６について、図３を用いて説明する。
【００４３】
図３（Ａ）は、本実施形態における設置器具２０の斜視図を示しており、図３（Ｂ）は、設置器具２０を用いて設置するのに最適な免震パッド１６の斜視図を示している。
【００４４】
設置器具２０は、免震パッド１６が載置される基台２１と、基台２１の端から立設された規制部２２と、規制部２２から所定の間隔をあけて基台２１の表面に設けられた免震パッド載置部（以下、単に載置部）２３と、を備えている。なお、設置器具２０そのものは、樹脂製のものでも構わないが、石材は非常に重く、硬いものであり、また、接着剤１７や、後述の免震パッド１６が備える接着層の接着剤が付着した際に、洗浄する必要もあるため、金属製のものが好ましく、本実施形態においても金属製のものを用いている。
【００４５】
基台２１は、厚さが大体５ｍｍで、矩形状の金属製の板部材である。規制部２２は、基台２１の隣接する２辺に溶接によって垂直に固定された板状の金属製部材である。そして、規制部２２の端は、図示する様に基台２１の上面２１ａよりも上に位置している。この規制部２２は、後述する免震施工法の行程中で、規制部２２の立設面２２ａを石材の側面と接触することにより、石材に対する設置器具２０の位置を規制するものである。
【００４６】
載置部２３は、基台２１の上面２１ａを所定の深さだけ削って窪ませたものである。載置部２３は、この窪みの底部２３ａに後述の免震パッド１６を置いて、免震パッド１６の位置決めを行うためのものである。そして、載置部２３は、免震パッド１６の形状にあわせて、矩形状となっている。なお、載置部２３における、窪みの底部２３ａまでの深さは、免震パッド１６の厚みとほぼ同じになっており、本実施形態においては３ｍｍとなっている。また、載置部２３は、免震パッド１６がこの窪みの中に確実に収まるよう、免震パッド１６より少し大きくなっている。
【００４７】
この載置部２３の位置を、基台２１の端（規制部２２）から、上述した所定の間隔Ｄと同じ間隔ｄで設けておくことにより、載置された免震パッド１６の位置を、常に規制部２２から所定の間隔Ｄだけ離しておくことができる。また、本実施形態において、載置部２３は、免震パッド１６が置かれる底部２３ａに、開口部２３ｂを備えている。この開口部２３ｂは、底部２３ａの一部を削って形成されたものである。そして、この開口部２３ｂを介して、作業者が免震パッド１６を石材の下面に向けて押圧することができる。この開口部２３の形状は、実施形態のような矩形状に限らず、例えば円形状のものでもよく、また、開口部が複数形成されていてもよい。
【００４８】
なお、載置部２３は、本実施形態のような窪みに限定されるものではなく、例えば、基台２１の上面２１ａから突出する壁状の囲いからなるものでも構わない。しかしながら、載置部２３が、上面２１ａから突出する構成の場合、免震パッド１６を石材の下面に接着する際に、石材と接触するおそれがあるので、載置部２３は、本実施形態のような窪みによって構成されるのが好ましい。
【００４９】
一方、図３（Ｂ）に示されている免震パッド１６は、先にも述べたようにシリコンゴムで形成された矩形状のパッドである。そして、この免震パッド１６の上面１６ａ側は、接着層１８を有する構成となっている。この接着層１８によって、免震パッド１６を石材に接着固定することができる。なお、この免震パッド１６は、未使用状態では、接着層１８が露出しないよう、上面１６ａ側を保護用の紙（図示せず）で覆う構成となっている。また、免震パッド１６の下面１６ｂ側は、載置部２３の底部２３ａと対向する側である。そして、免震パッド１６の下面１６ｂは、後述する様に石材を積み重ねた後、上側の石材の位置を調整しやすくするために、図示していないが表面に粉末が散布されている。
【００５０】
次に、設置器具２０を用いて免震パッド１６を設置する免震施工法について図面を用いて説明する。図４は、本実施形態における免震施工法の作業工程図を示している。なお、既に、芝台１１の上に下台１１が、下台１１の上に上台１２が積み上げられている状態から説明を行う。
【００５１】
まず、図４（Ａ）に示すように、作業者は、上台１３の上面１３ａには、図２に示したように、接着剤１７を５箇所点付けしておく。そして、作業者は、図示しないクレーン等で竿石１４を持ち上げて、上台１３の上方に持ち上げた状態で待機させておく。
【００５２】
この時、作業者は設置器具２０の載置部２３に免震パッド１６を載置しておく。その際、作業者は、免震パッド１６の上面１６ａを上にしておくとともに、接着層１８が露出するよう、保護用の紙を取り外しておく。そして、図４（Ｂ）に示すように、作業者は、手に持った設置器具２０を竿石１４の下面１４ｂに持っていく。その際、設置器具２０が備える隣接する二つの規制部２２の立設面２２ａを、竿石１４の隣接する二つの側面１４ｃにそれぞれ押し当てる。こうすることにより、免震パッド１６は、竿石１４の下面１４ｂにおいて、図２に示した最適な場所（端部から所定の間隔Ｄだけ離れた場所）に位置することになる。
【００５３】
そして、この状態から、作業者が、載置部２３の底部２３ａに設けられている開口部２３ｂを介して、免震パッド１６の下面１６ｂを竿石１４側へ押すことよって、免震パッド１６の上面１６ａに設けられた接着層１８により、免震パッド１６が竿石１４の下面１４ｂに接着することになる。
【００５４】
この作業を竿石１４の下面１４ｂの四隅で行う。つまり、この作業を４回繰り返すことによって、４つの免震パッド１６がそれぞれ竿石１４の下面１４ｂの最適な位置に接着されることになる（図４（Ｃ）に示した状態）。
【００５５】
その後、図４（Ｃ）から図４（Ｄ）のように、竿石１４を上台１３の上面１３ａに向かって降ろしていき、竿石１４の位置が決まったところで、上台１３の上面１３ａと竿石１４の下面１４ｂとの隙間である所謂目地を、コーキング剤で埋めることによって、墓石１の免震施工が完了する。そして、墓石１は、施工後において、４つの免震パッド１６がそれぞれ最適な位置に設置されているので、免震パッド１６の免震効果を最大限に発揮することができるようになる。
【００５６】
なお、墓石１の免震施工作業は、実際には野外で行われるものなので、図４（ｃ）の状態から、竿石１４を降ろす際に、風等の影響で竿石１４が揺れることも多く、竿石１４を上台１３の上面１３ａの所定の位置へ、一回で正確に降ろすことはなかなか難しい。したがって、竿石１４を所定の位置へ移動させるための微調整が必要になってくる。
【００５７】
その際、本実施形態においては、上台１３の上面１３ａと直接接しているのは、免震パッド１６の下面１６ｂとなるが、この免震パッド１６の下面１６ｂは先にも述べたように上面１６ａと異なり接着層１８を有していないので、ゴムハンマー等を利用して竿石１４の側面１４ｃを叩くことにより水平方向へ竿石１４を簡単に移動させることができるので、微調整を容易に行うことができる。また、免震パッド１６の下面１６ｂが接着層１８を有していないので、竿石１４を再度持ち上げて位置を調整することも容易に行うことができる。なお、免震パッド１６の下面１６ｂには、粉末が散布されているので、これにより免震パッド１６と上台との摩擦抵抗が下がり、竿石１４を移動させやすくなっている。また、この粉末は雨や湿気の水分によって溶けるものでもよいし、また、雨や湿気の水分によって粘着性が生じるものでもよい。
【００５８】
以上のような設置器具２０を用いた免震施工法によって、墓石１を構成する石材である上台１３と竿石１４との間おいて、作業者は、適正な位置へ免震パッド１６を簡単に設置することができる。また、免震パッド１６が適正な位置へ設置されることにより、墓石１は、免震パッド１６による免震効果を最大限に発揮することができ、免震性の高いものとなる。そして、図４（ａ）において、上台１３と竿石１４との間が狭くても、適正な位置へ免震パッド１６を簡単に設置することができる。
【００５９】
なお、図４においては、免震パッド１６を上台１２と竿石１４との間に設置する作業工程のみを説明したが、当然ながら、免震パッド１６は、芝台１１と下台１１との間、また、下台１１と上台１２との間に設置しても構わない。更には、本実施形態における墓石１には図示していないが、墓石を構成する石材に、所謂布団台（スリン台などとも呼ばれる）があるようであれば、布団台と石材との間にも免震パッド１６を設置しても構わない。そして、本実施形態の免震施工法は、お墓に新たに設けられる墓石だけでなく、既存の墓石に対しても適用することできる。
【００６０】
また、本実施形態において、厚さ３ｍｍの免震パッド１６を用いて説明を行った。これは、免震効果を十分に発揮するには、免震パッド１６の厚みもある程度必要であり、この厚みとして大体３ｍｍ程度必要なため、本実施形態において、厚さ３ｍｍの免震パッド１６を用いた。ただし、免震パッド１６の厚みが３ｍｍの場合、石材を積み重ねた際の所謂目地の幅が大体２．５ｍｍとなる。通常この程度の目地幅であればかなり狭い方ではあるが、この程度の目地幅でも気になるということであれば、多少免震効果を犠牲にしても、３ｍｍよりも薄い免震パッドを用いることもできる。
【００６１】
また、石材の表面（例えば、上台１３の上面１３ａ）は、できるだけ平坦になるよう研磨が行われているが、実際には表面に多少の凹凸も残っている。したがって、例えば、本実施形態において、上台１３の上面１３ａに４つの免震パッド１６を設置した場合に、１箇所だけ高さが異なってしまい、竿石１４が少し傾いているようなことも生じ得る。そこで、厚さ３ｍｍの免震パッド１６以外にも、厚さの異なる（例えば、厚さ２ｍｍや１ｍｍ）免震パッドも準備しておき、厚さ３ｍｍの免震パッド１６を基準として、厚さの異なる免震パッドを厚さ３ｍｍの免震パッド１６と重ねて配置しておくことで、上に積み重ねられる石材の傾きを抑制することもできる。
【００６２】
また、本実施形態における設置器具２０は、規制部２２が基台２１の隣接する２辺に設けられているものであったが、規制部２２が基台２１の１辺にしかないもの（規制部２２が一つ）でも構わない。また、本実施形態において、免震パッド１６の設置数が４つであったが、石材の大きさによっては、４つそれ以上の免震パッド１６を用いても構わない。
【符号の説明】
【００６３】
１…墓石
１３…上台
１３ａ…上台の上面
１４…竿石
１４ｂ…竿石の下面
１６…免震パッド
１８…接着層
２０…設置器具
２１…基台
２２…規制部
２２ａ…立設面
２３…載置部
２３ａ…底部
２３ｂ…開口部
【図１】
2014040725.tif 000003
【図２】
2014040725.tif 000004
【図３】
2014040725.tif 000005
【図４】
2014040725.tif 000006